(57)【要約】【課題】モータのアンプ部の放熱性を高める。【解決手段】モータ１は、固定子及び回転子を備えたモータ部２と、モータ部２に電力を供給するアンプ部１０とを有し、アンプ部１０は、アンプ部１０の筐体を構成する本体フレーム６と、本体フレーム６における回転軸方向に垂直な方向に位置する下面６ｆに配置され、本体フレーム６に収容される電源基板５ｃ、ＤＣ入力基板５ｄ、制御基板５ｅ、制御系配線基板５ｆが取り付けられた放熱フレーム７とを有する。
2017085872.tif 000002
【特許請求の範囲】
【請求項１】
固定子及び回転子を備えたモータ部と、
前記モータ部に電力を供給するアンプ部と、を有し、
前記アンプ部は、
前記アンプ部の筐体を構成する第１フレームと、
前記第１フレームにおける前記回転子の回転軸方向に垂直な方向に位置する第１の面に配置され、前記第１フレームに収容される少なくとも１つの基板が取り付けられた第２フレームと、を有する
ことを特徴とするモータ。
【請求項２】
前記アンプ部は、
前記第１フレームにおける前記第１の面とは異なる第２の面に配置され、前記第１フレームに収容され前記少なくとも１つの基板とは異なる他の少なくとも１つの基板が取り付けられたヒートシンクを有する
ことを特徴とする請求項１に記載のモータ。
【請求項３】
前記アンプ部は、
前記第１フレームにおける前記第１の面及び前記第２の面とは異なる第３の面に配置された少なくとも１つのコネクタを有する
ことを特徴とする請求項２に記載のモータ。
【請求項４】
前記アンプ部は、
前記第２フレーム、前記ヒートシンク、前記少なくとも１つのコネクタ、の前記第１フレームにおける位置関係を変更可能に構成されている
ことを特徴とする請求項３に記載のモータ。
【請求項５】
前記第２フレームは、
前記第１フレームの前記第１の面に取り付けられるベース部と、
前記ベース部に立設され、前記少なくとも１つの基板が取り付けられる少なくとも１つの基板取付部と、を有する
ことを特徴とする請求項３又は４に記載のモータ。
【請求項６】
前記基板取付部は、
複数の基板取付面を有する
ことを特徴とする請求項５に記載のモータ。
【請求項７】
前記複数の基板取付面のうち、少なくとも２つの前記基板取付面は互いに垂直である
ことを特徴とする請求項６に記載のモータ。
【請求項８】
前記複数の基板取付面のうち、少なくとも２つの前記基板取付面は互いに平行である
ことを特徴とする請求項６又は７に記載のモータ。
【請求項９】
前記アンプ部は、
前記第１フレームに収容され、前記少なくとも１つのコネクタが電気的に接続されるコネクタ受け基板を有し、
前記コネクタ受け基板は、
少なくとも一部が前記第２フレームの前記ベース部と対向するように配置されている
ことを特徴とする請求項５乃至８のいずれか１項に記載のモータ。
【請求項１０】
前記アンプ部は、
電力変換回路を構成する複数のスイッチング素子が配置されたパワー基板と、
前記複数のスイッチング素子を駆動する駆動回路が配置されたゲート基板と、を有し、
前記パワー基板及び前記ゲート基板は、
前記ヒートシンクと前記第２フレームの前記基板取付部との間に配置されている
ことを特徴とする請求項５乃至９のいずれか１項に記載のモータ。
【請求項１１】
前記アンプ部は、
前記ゲート基板と前記基板取付部との間に配置された絶縁性の熱伝導性シートを有し、
前記ゲート基板は、
前記熱伝導性シートを介して前記基板取付部に接触するように配置されている
ことを特徴とする請求項１０に記載のモータ。
【請求項１２】
固定子及び回転子を備えたモータ部と、前記モータ部に電力を供給するアンプ部と、を有するモータの製造方法であって、
前記アンプ部の筐体を構成する第１フレームに収容される少なくとも１つの基板を、第２フレームに取り付けることと、
前記少なくとも１つの基板が取り付けられた前記第２フレームを、前記第１フレームにおける前記回転子の回転軸方向に垂直な方向に位置する第１の面に取り付けることと、
を有することを特徴とするモータの製造方法。
【請求項１３】
前記第１フレームに収容され前記少なくとも１つの基板とは異なる他の少なくとも１つの基板を、ヒートシンクに取り付けることと、
前記他の少なくとも１つの基板が取り付けられた前記ヒートシンクを、前記第１フレームにおける前記第１の面とは異なる第２の面に取り付けることと、
をさらに有することを特徴とする請求項１２に記載のモータの製造方法。
【発明の詳細な説明】
【技術分野】
【０００１】
開示の実施形態は、モータ及びモータの製造方法に関する。
【背景技術】
【０００２】
特許文献１には、モータ駆動基板とセンサ回路用基板とをセンサカバー内に並設した駆動回路内蔵型サーボモータが記載されている。
【先行技術文献】
【特許文献】
【０００３】
【特許文献１】特開２００４−２７４８３４号公報
【発明の概要】
【発明が解決しようとする課題】
【０００４】
上記従来技術では、センサ回路用基板の熱がセンサカバー内にこもりやすく、放熱性が充分でないという課題があった。【０００５】
本発明はこのような問題点に鑑みてなされたものであり、アンプ部の放熱性を高めることが可能なモータ及びモータの製造方法を提供することを目的とする。
【課題を解決するための手段】
【０００６】
上記課題を解決するため、本発明の一の観点によれば、固定子及び回転子を備えたモータ部と、前記モータ部に電力を供給するアンプ部と、を有し、前記アンプ部は、前記アンプ部の筐体を構成する第１フレームと、前記第１フレームにおける前記回転子の回転軸方向に垂直な方向に位置する第１の面に配置され、前記第１フレームに収容される少なくとも１つの基板が取り付けられた第２フレームと、を有するモータが適用される。【０００７】
また、本発明の別の観点によれば、固定子及び回転子を備えたモータ部と、前記モータ部に電力を供給するアンプ部と、を有するモータの製造方法であって、前記アンプ部の筐体を構成する第１フレームに収容される少なくとも１つの基板を、第２フレームに取り付けることと、前記少なくとも１つの基板が取り付けられた前記第２フレームを、前記第１フレームにおける前記回転子の回転軸方向に垂直な方向に位置する第１の面に取り付けることと、を有するモータの製造方法が適用される。【０００８】
また、本発明のさらに別の観点によれば、固定子及び回転子を備えたモータ部と、前記モータ部に電力を供給するアンプ部と、を有し、前記アンプ部は、前記アンプ部の筐体を構成するフレームと、前記フレームにおける前記回転子の回転軸方向に垂直な方向に位置する面に配置され、前記フレームに収容される少なくとも１つの基板の熱を放熱する手段と、を有するモータが適用される。
【発明の効果】
【０００９】
本発明によれば、モータのアンプ部の放熱性を高めることができる。
【図面の簡単な説明】
【００１０】
【図１】一実施形態のモータの概略構成の一例を表す模式的な側面図である。
【図２】アンプ部の構成の一例を表す分解斜視図である。
【図３】アンプ部の構成の一例を表す、リアカバーを透視した後面図である。
【図４】基板の具体例及び各基板の接続関係の一例を表す説明図である。
【図５】モータの製造方法の一例を表す工程図である。
【図６】実施形態に係る放熱フレームの構成を表す模式図である。
【図７】放熱フレームの第１の変形例を表す模式図である。
【図８】放熱フレームの第２の変形例を表す模式図である。
【図９】放熱フレームの第３の変形例を表す模式図である。
【図１０】放熱フレームの第４の変形例を表す模式図である。
【図１１】放熱フレームの第５の変形例を表す模式図である。
【図１２】放熱フレームの第６の変形例を表す模式図である。
【図１３】放熱フレームの第７の変形例を表す模式図である。
【図１４】放熱フレームの第８の変形例を表す模式図である。
【図１５】放熱フレームの第９の変形例を表す模式図である。
【図１６】実施形態に係るヒートシンクユニットの構成を表す模式図である。
【図１７】ヒートシンクに接続されるフレームを追加したヒートシンクユニットの変形例を表す模式図である。
【図１８】樹脂サポートの位置を変更したヒートシンクユニットの変形例を表す模式図である。
【図１９】実施形態に係るアンプ部の各構成の位置関係を表す模式図である。
【図２０】アンプ部の各構成の位置関係の第１の変形例を表す模式図である。
【図２１】アンプ部の各構成の位置関係の第２の変形例を表す模式図である。
【図２２】アンプ部の各構成の位置関係の第３の変形例を表す模式図である。
【発明を実施するための形態】
【００１１】
以下、一実施の形態について図面を参照しつつ説明する。なお、以下において、モータ等の構成の説明の便宜上、各図に示した上下左右前後の方向を適宜使用する場合があるが、モータ等の各構成の位置関係を限定するものではない。なお、本実施形態において、前後方向は回転電機のシャフトの回転軸方向、上下方向は鉛直方向、左右方向は軸方向及び上下方向の両方向に垂直な方向を指すものである。
【００１２】
＜１．モータの概略構成＞
まず、図１を参照しつつ、実施形態に係るモータの概略構成の一例について説明する。
【００１３】
図１に示すように、本実施形態のモータ１は、モータ部２と、ブレーキ部３と、エンコーダ部４と、アンプ部１０とを有する。すなわちモータ１は、アンプ一体型のブレーキ・エンコーダ付きモータとして構成されている。
【００１４】
モータ部２は、固定子及び回転子（共に図示せず）を備え、回転子が固定子に対し回転する回転型（ロータリタイプ）のモータである。モータ部２は、シャフトＳＨを軸心ＡＸ周りに回転させることで、回転力を出力する。なお、本明細書において「回転軸方向」は軸心ＡＸの方向であり、この例では前後方向となっている。また、モータ部２の回転力出力側、つまりモータ部２に対しシャフトＳＨが突出する側（この例では前側）を「負荷側」、その反対側（この例では後側）を「反負荷側」という。
【００１５】
ブレーキ部３は、モータ部２の反負荷側（後側）に配置されている。ブレーキ部３は、シャフトＳＨの制動を行う。
【００１６】
エンコーダ部４は、ブレーキ部３の反負荷側（後側）に配置されている。エンコーダ部４は、シャフトＳＨの位置（「回転位置」や「回転角度」等ともいう）を検出し、その位置を表す位置データを出力する。
【００１７】
アンプ部１０は、エンコーダ部４の反負荷側（後側）に配置されている。アンプ部１０は、モータ部２に電力を供給する。この際、アンプ部１０は、エンコーダ部４から位置データを取得し、その位置データに基づいてモータ部２に印加する電流又は電圧等を制御することで、モータ部２の動作を制御する。また、アンプ部１０は、上位制御装置（図示せず）から上位制御信号を取得し、その上位制御信号に表された位置等を実現可能な回転力がシャフトＳＨから出力されるように、モータ部２の動作を制御することもできる。
【００１８】
なお、上記で説明したモータ１の構成は一例であり、上記構成に限定されるものではない。例えば、ブレーキ部３やエンコーダ部４がモータ部２の負荷側に配置されてもよい。また、アンプ部１０がモータ部２とブレーキ部３との間、又はブレーキ部３とエンコーダ部４との間に配置されてもよい。また、モータ１がブレーキ部３やエンコーダ部４を備えない構成としてもよい。
【００１９】
＜２．アンプ部の構成＞
次に、図２〜図４を参照しつつ、アンプ部１０の構成の一例について説明する。
【００２０】
図２及び図３に示すように、アンプ部１０は、本体フレーム６（第１フレームの一例）と、放熱フレーム７（第２フレームの一例）と、ヒートシンク８とを有する。
【００２１】
本体フレーム６は、略直方体形状を有し、アンプ部１０の筐体を構成する。本体フレーム６は、前後、左右、上下方向にそれぞれ位置する六面６ａ〜６ｆのうち、例えば回転軸方向に位置する前面６ａ及び後面６ｂと、回転軸方向と垂直な方向に位置する右面６ｄ及び下面６ｆの、四面が開口している。本体フレーム６の上面６ｅ（第３の面の一例）には、図示しないＩ／Ｏケーブルが接続されるコネクタＣ６１、通信ケーブルが接続されるコネクタＣ６２，Ｃ６３、電源ケーブルが接続されるコネクタＣ６４が設けられている。コネクタＣ６１〜Ｃ６４は、上面６ｅに貫通して取り付けられている。
【００２２】
（２−１．基板の配置）
図２及び図３に示すように、本体フレーム６の内部には、複数の基板５ａ，５ｂ，５ｃ，５ｄ，５ｅ、５ｆ，５ｇ，５ｈが収容されている。基板５ａ〜５ｅは、各々の面方向が回転軸方向に沿う姿勢で配置されており、且つ、回転軸方向に垂直な方向（この例では左右方向）に互いに平行となるように並設されている。基板５ａ〜５ｅは、右方から左方に向けて、基板５ａ，５ｂ，５ｃ，５ｄ，５ｅの順に配置されている。
【００２３】
基板５ｆは、基板５ａ〜５ｅに垂直な姿勢（この例では面方向が上下方向に対して垂直となる姿勢）で、基板５ｃ〜５ｅの上側に配置されている。基板５ｇは、基板５ａ〜５ｅに垂直な姿勢（この例では面方向が前後方向に対して垂直となる姿勢）で、基板５ａ〜５ｆ，５ｈの後側に配置されている。基板５ｈは、基板５ｆに平行な姿勢で、基板５ｆの上側に配置されている。
【００２４】
（２−２．放熱フレームユニットの構成）
図２に示すように、基板５ｃ〜５ｆは放熱フレーム７に取り付けられ、放熱フレームユニット３０として本体フレーム６に組み付けられている。放熱フレーム７は、金属（例えばアルミ）等の熱伝導性の高い材料で構成されており、基板５ｂ〜５ｅの熱を効率良く放熱する。放熱フレーム７は、本体フレーム６の下面６ｆに取り付けられる略矩形状のベース部１１と、ベース部１１に立設された基板取付部１２とを有する。基板取付部１２は、左右方向に平行に並設された板状の２つの取付板部１３ａ，１３ｂと、取付板部１３ａ，１３ｂの上端間を繋ぐ天板部１４とを有し、枠体状に形成されている。天板部１４の前側は、矩形の開口部１４ａを形成するように切り欠かれている。基板取付部１２の左右方向の位置は、基板配置によって適宜選択されるものであるが、図２では取付板部１３ａからベース部１１の右端部までの距離が取付板部１３ｂからベース部１１の左端部までの距離よりも大きくなるように設定されている。
【００２５】
図２に示すように、放熱フレームユニット３０は、本体フレーム６の下面６ｆの開口部６ｆ１から挿入され、図示しないボルトにより下面６ｆに固定される。その結果、放熱フレーム７は、本体フレーム６の回転軸方向に垂直な方向に位置する面、この例では下方向に位置する下面６ｆ（第１の面の一例）に配置される。
【００２６】
図３に示すように、基板５ｃは、取付板部１３ａの左側面である基板取付面１３ａ１に取り付けられ、上端部は天板部１４の開口部１４ａから上方に突出している。基板５ｃは、実装された電子部品Ｑｃが絶縁性の熱伝導性シート１６ｃを介して基板取付面１３ａ１に接触するように、図示しないボルトにより取付板部１３ａに固定されている。基板５ｃの上端部にはコネクタＣｃ１が設けられており、基板５ｆのコネクタＣｆ２に接続されている。
【００２７】
基板５ｄは、取付板部１３ｂの右側面である基板取付面１３ｂ１に取り付けられ、上端部は天板部１４の開口部１４ａから上方に突出している。基板５ｄは、実装された電子部品Ｑｄが絶縁性の熱伝導性シート１６ｄを介して基板取付面１３ｂ１に接触するように、図示しないボルトにより取付板部１３ｂに固定されている。基板５ｄの上端部にはコネクタＣｄ１が設けられており、電源ケーブルが接続されるコネクタＣ６４に接続されている。
【００２８】
基板５ｅは、取付板部１３ｂの左側面である基板取付面１３ｂ２に取り付けられ、上端部は天板部１４から上方に突出している。基板５ｅは、実装された電子部品Ｑｅが絶縁性の熱伝導性シート１６ｅを介して基板取付面１３ｂ２に接触するように、図示しないボルトにより取付板部１３ｂに固定されている。基板５ｅの上端部にはコネクタＣｅが設けられており、基板５ｆのコネクタＣｆ５に接続されている。
【００２９】
基板５ｆは、基板５ｃ〜５ｅの上側に配置されている。基板５ｆの下面には、上記コネクタＣｆ２，Ｃｆ４（図３では図示せず。図４参照），Ｃｆ５が設けられている。基板５ｆは、コネクタＣｆ２，Ｃｆ４，Ｃｆ５が上記コネクタＣｃ１，Ｃｄ２（図３では図示せず。図４参照），Ｃｅと接続され、当該コネクタを介して基板５ｃ，５ｄ，５ｅに支持されることにより、基板取付部１２に取り付けられている。また、基板５ｆの下面（上面でもよい）にはコネクタＣｆ１が設けられており、基板５ｂのコネクタＣｂ１に接続されている。
【００３０】
上記構成により、基板取付部１２は、複数の基板取付面１３ａ１，１３ｂ１，１３ｂ２を有しており、これらは互いに平行な位置関係となっている。なお、本実施形態では基板取付部１２の天板部１４は強度の向上を目的に設置されており、基板が取り付けられてはいないが、例えば基板５ｆの発熱量が大きい場合等には天板部１４に絶縁性の熱伝導性シートを介して接触させてもよい。この場合には、天板部１４の上面１４ａが基板取付面を構成し、当該基板取付面１４ａと基板取付面１３ａ１，１３ｂ１，１３ｂ２とは互いに垂直な位置関係となる。この場合、配置方向が異なる複数の基板の熱を効率的に放熱できる。
【００３１】
また、上記では各基板５ｃ〜５ｅの放熱フレーム７への固定をボルトにより行うようにしたが、例えば樹脂製のパレット等の固定具を用いてボルトを使用せずに固定してもよい。
【００３２】
（２−３．ヒートシンクユニットの構成）
図２及び図３に示すように、基板５ａ，５ｂはヒートシンク８に取り付けられ、ヒートシンクユニット２０として本体フレーム６に組み付けられている。
【００３３】
ヒートシンクユニット２０は、ヒートシンク８と、基板５ａと、基板５ｂと、絶縁性の熱伝導性シート１６ａと、複数のパワー素子１７（スイッチング素子の一例）と、樹脂サポート１８とを積層して構成されている。
【００３４】
ヒートシンク８は、略矩形状のベース部８ａと、ベース部８ａの右側面に立設された複数のフィン８ｂとを備える。この例では、複数のフィン８ｂは上下方向に平行に並設され、各フィン８ｂは前後方向に沿って延びている。なお、ヒートシンク８はフィン８ｂを有しない構成でもよい。本明細書では、フィンを有さずベース部のみからなる放熱部品も「ヒートシンク」に含まれる。
【００３５】
図２に示すように、各パワー素子１７は、素子本体部１７ａと、複数のリード端子１７ｂを有する。素子本体部１７ａは、樹脂サポート１８に設けられた穴部１８ａに収容される。この穴部１８ａは、パワー素子の実装位置決めに使用するので、穴部ではなく凹部としても良い。リード端子１７ｂは、基板５ａの図示しない端子孔にハンダ付けにより接続される。基板５ａは、複数のネジＳ１によって樹脂サポート１８及び絶縁性の熱伝導性シート１６ａを間に挟んでヒートシンク８に固定される。ネジＳ１は、基板５ａの周縁部に設けられた複数の貫通孔５ａ１に挿通されてヒートシンク８のベース部８ａの図示しない複数のネジ孔に締結される。これにより、基板５ａが樹脂サポート１８を介してパワー素子１７を押圧し、パワー素子１７の素子本体部１７ａが熱伝導性シート１６ａを介してベース部８ａに圧接されている。
【００３６】
図３に示すように、基板５ａと基板５ｂとは、図示しない連結具によって機械的に連結され、且つ、複数のピン端子Ｐ（図２では図示を省略）によって電気的に接続されている。以上により、ヒートシンク８と、熱伝導性シート１６ａと、複数のパワー素子１７と、樹脂サポート１８と、基板５ａと、基板５ｂとが、ヒートシンクユニット２０として組み立てられる。
【００３７】
図２に示すように、組み立てられたヒートシンクユニット２０は、本体フレーム６の右面６ｄの段部を有する開口部６ｄ１から挿入され、ヒートシンク８のベース部８ａの少なくとも一部が開口部６ｄ１に収容された状態で、図示しないボルトにより右面６ｄに固定される。その結果、ヒートシンク８は、本体フレーム６の下面６ｆとは異なる面、この例では右面６ｄ（第２の面の一例）に配置される。
【００３８】
図３に示すように、本体フレーム６に固定されたヒートシンクユニット２０の基板５ｂは、実装された電子部品Ｑｂが絶縁性の熱伝導性シート１６ｂを介して放熱フレーム７の取付板部１３ａの右側面である基板取付面１３ａ２に接触されている。基板５ｂの上端部にはコネクタＣｂ１が設けられており、基板５ｆのコネクタＣｆ１と接続されている。
【００３９】
（２−４．その他の構成）
図２に示すように、基板５ｇは、本体フレーム６の後面６ｂの開口部６ｂ１より挿入され、ヒートシンクユニット２０及び放熱フレームユニット３０の後側で、図示しないボルトにより本体フレーム６に固定される。基板５ｇにはコネクタＣｇ１，Ｃｇ２（図４参照）が設けられており、基板５ａのコネクタＣｐ（図４参照）及び基板５ｄのコネクタＣｄ３（図４参照）と接続されている。本体フレーム６の開口部６ｂ１には、リアカバー２４が図示しないボルトにより固定され、開口部６ｂ１が塞がれる。
【００４０】
図３に示すように、基板５ｈは、本体フレーム６の上面６ｅの内面側にスペーサ２６を介して図示しないボルトにより固定されている。基板５ｈは、その少なくとも一部が放熱フレーム７のベース部１１や基板５ｆと対向するように平行に配置されている。基板５ｈは、上面にコネクタＣ６１，Ｃ６２のインサートＣｈ１，Ｃｈ２等が立設されており、本体フレーム６の上面６ｅの上記インサートに対応するハウジングＣｈ１１，Ｃｈ２２等に装着される。また、基板５ｈの下面にはコネクタＣｈ３（図３では図示省略。図４参照）が設けられており、基板５ｆのコネクタＣｆ６（図３では図示省略。図４参照）と接続されている。
【００４１】
（２−５．基板の具体例及び各基板の接続関係）
次に、図４を参照しつつ、基板５ａ〜５ｈの具体例及び各基板の接続関係の一例について説明する。
【００４２】
図４に示すように、アンプ部１０は、主電源（図示せず）から入力される直流電力を交流電力（この例では３相交流電力）に変換し、モータ部２に供給する。
【００４３】
基板５ｄは、ＤＣ入力回路５０ｄを構成する部品を備えたＤＣ入力基板である。以下適宜、基板５ｄを「ＤＣ入力基板５ｄ」という。ＤＣ入力基板５ｄには、３つのコネクタＣｄ１，Ｃｄ２，Ｃｄ３が設けられている。ＤＣ入力回路５０ｄは、主電源から直流電力が入力される。
【００４４】
基板５ｇは、ＤＣ入力回路５０ｄから入力される直流電力を後述するパワー基板５ａのインバータ回路５０ａに供給する高圧系の配線が設けられたパワー系配線基板である。以下適宜、基板５ｇを「パワー系配線基板５ｇ」という。パワー系配線基板５ｇには、コネクタＣｇ１，Ｃｇ２，Ｃｇ３，Ｃｇ４が設けられている。
【００４５】
基板５ａは、インバータ回路５０ａ（電力変換回路の一例）を構成する複数のパワー素子１７を含む部品を備えたパワー基板である。以下適宜、基板５ａを「パワー基板５ａ」という。パワー基板５ａには、複数のピン端子Ｐ（図３参照）が設けられている。また、パワー基板５ａは、パワー系配線基板５ｇを介してＤＣ入力基板５ｄと接続されると共に、電力ケーブルＥＣ１を介してモータ部２と接続されている。インバータ回路５０ａは、パワー系配線基板５ｇを介してＤＣ入力回路５０ｄから入力される直流電力をパワー素子１７等により３相交流電力に変換し、電力ケーブルＥＣ１を介してモータ部２に供給する。
【００４６】
基板５ｂは、ゲート回路５０ｂ（駆動回路の一例）を構成する部品を備えたゲート基板である。以下適宜、基板５ｂを「ゲート基板５ｂ」という。ゲート基板５ｂには、コネクタＣｂ１が設けられている（図３も参照）。ゲート回路５０ｂは、インバータ回路５０ａにゲート信号を出力してパワー素子１７の駆動を制御する。
【００４７】
基板５ｅは、制御回路５０ｅを構成する部品を備えた制御基板である。以下適宜、基板５ｅを「制御基板５ｅ」という。制御基板５ｅには、コネクタＣｅが設けられている（図３も参照）。制御回路５０ｅは、ゲート基板５ｂを介して主回路を制御する。また、制御回路５０ｅは、エンコーダ部４から位置データが入力される。
【００４８】
基板５ｃは、電源回路５０ｃを構成する部品を備えた電源基板である。以下適宜、基板５ｃを「電源基板５ｃ」という。電源基板５ｃには、コネクタＣｃ１，Ｃｃ２が設けられている（図３も参照）。電源回路５０ｃは、外部より供給される電源（図示せず）から制御用の電力を生成し、ゲート回路５０ｂ及び制御回路５０ｅ等に供給する。
【００４９】
基板５ｈは、本体フレーム６のコネクタＣ６１〜Ｃ６３と電気的に接続されるコネクタ受け基板である。以下適宜、基板５ｈを「コネクタ受け基板５ｈ」という。コネクタ受け基板５ｈには、コネクタＣｈ３が設けられている。なお、電源ケーブルが接続される本体フレーム６のコネクタＣ６４は、コネクタ受け基板５ｈを介さずにＤＣ入力基板５ｄのコネクタＣｄ１に接続される。
【００５０】
制御系配線基板５ｆには、コネクタＣｆ１，Ｃｆ２，Ｃｆ４，Ｃｆ５、Ｃｆ６を含む複数のコネクタが設けられている（図３も参照）。
【００５１】
ゲート基板５ｂは、上記コネクタＣｂ１が制御系配線基板５ｆのコネクタＣｆ１と接続されている。電源基板５ｃは、上記コネクタＣｃ１が制御系配線基板５ｆのコネクタＣｆ２と接続されている。ＤＣ入力基板５ｄは、上記コネクタＣｄ２が制御系配線基板５ｆのコネクタＣｆ４と接続されるとともに、上記コネクタＣｄ３がパワー系配線基板５ｇのコネクタＣｇ１と接続されている。制御基板５ｅは、上記コネクタＣｅが制御系配線基板５ｆのコネクタＣｆ５と接続されている。コネクタ受け基板５ｈは、上記コネクタＣｈ３が制御系配線基板５ｆのコネクタＣｆ６と接続されている。これにより、ゲート基板５ｂ及び制御基板５ｅ、電源基板５ｃ及び制御基板５ｅ、ＤＣ入力基板５ｄ及び制御基板５ｅ、コネクタ受け基板５ｈ及び制御基板５ｅが、それぞれ制御系配線基板５ｆを介して電気的に接続されている。また、ゲート基板５ｂ及び電源基板５ｃが、パワー系配線基板５ｇを介して電気的に接続されている。
【００５２】
なお、上記で説明した基板５ａ〜５ｈ等の種類及び各基板の接続関係は一例であり、上記以外の内容であってもよい。
【００５３】
＜３．モータの製造方法＞
次に、図５を参照しつつ、モータ１の製造方法の一例について説明する。
【００５４】
図５に示すように、モータ１の製造方法による製造工程では、主工程が実行される前に（又は主工程と並行して）、放熱フレーム７への電源基板５ｃ、ＤＣ入力基板５ｄ、制御基板５ｅ、及び制御系配線基板５ｆの基板組付工程と、ヒートシンク８へのパワー基板５ａ及びゲート基板５ｂの基板組付工程とが行われる。
【００５５】
放熱フレーム７への基板組付工程では、放熱フレーム７の基板取付部１２の取付板部１３ａの基板取付面１３ａ１に、電源基板５ｃが絶縁性の熱伝導性シート１６ｃを介して取り付けられる。また、放熱フレーム７の取付板部１３ｂの基板取付面１３ｂ１に、ＤＣ入力基板５ｄが絶縁性の熱伝導性シート１６ｄを介して取り付けられる。また、取付板部１３ｂの基板取付面１３ｂ２に、制御基板５ｅが絶縁性の熱伝導性シート１６ｅを介して取り付けられる。また、電源基板５ｃ、ＤＣ入力基板５ｄ、及び制御基板５ｅの上方に制御系配線基板５ｆが配置され、基板５ｃ，５ｄ，５ｅのコネクタＣｃ１，Ｃｄ２，Ｃｅが制御系配線基板５ｆのコネクタＣｆ２，Ｃｆ４，Ｃｆ５とそれぞれ接続される。これにより、放熱フレームユニット３０が完成する。
【００５６】
ヒートシンク８への基板組付工程では、パワー素子１７が樹脂サポート１８の穴部１８ａに収容され、パワー素子１７のリード端子１７ｂがパワー基板５ａの端子孔に挿入され、ハンダ等で接続される。パワー素子１７が装着されたパワー基板５ａは、ネジＳ１によって樹脂サポート１８及び絶縁性の熱伝導性シート１６ａを間に挟んでヒートシンク８のベース部８ａに固定される。その後、ゲート基板５ｂがパワー基板５ａに取り付けられ、ヒートシンクユニット２０が完成する。
【００５７】
主工程では、まず、コネクタ受け基板５ｈが本体フレーム６に挿入され、本体フレーム６に組み付けられる。コネクタ受け基板５ｈは、インサートＣｈ１，Ｃｈ２等が本体フレーム６の上面６ｅのハウジングＣｈ１１，Ｃｈ２２等に装着されるとともに、上面６ｅの内面側にスペーサ２６を介してボルトにより固定される。
【００５８】
次に、放熱フレームユニット３０が本体フレーム６に組み付けられる。すなわち、放熱フレーム７のベース部１１が本体フレーム６の下面６ｆの開口部６ｆ１にボルトにより固定される。これにより、放熱フレーム７が本体フレーム６の下面６ｆに配置される。
【００５９】
次に、ヒートシンクユニット２０が本体フレーム６に組み付けられる。すなわち、ヒートシンク８のベース部８ａが本体フレーム６の右面６ｄの開口部６ｄ１にボルトにより固定される。このとき、ゲート基板５ｂが絶縁性の熱伝導性シート１６ｂを介して本体フレーム６の取付板部１３ａの基板取付面１３ａ２に接触される。また、ゲート基板５ｂのコネクタＣｂ１が制御系配線基板５ｆのコネクタＣｆ１と接続される。
【００６０】
次に、パワー系配線基板５ｇが本体フレーム６の後面６ｂの開口部６ｂ１から挿入され、ボルトにより本体フレーム６に固定される。このとき、パワー系配線基板５ｇのコネクタＣｇ１，Ｃｇ２がＤＣ入力基板５ｄのコネクタＣｄ３及びパワー基板５ａのコネクタＣｐと接続される。
【００６１】
次に、リアカバー２４が本体フレーム６の後面６ｂの開口部６ｂ１を塞ぐように組み付けられる。これにより、アンプ部１０が完成する。
【００６２】
そして、アンプ部１０がエンコーダ部４の反負荷側に組み付けられる。これにより、モータ部２、ブレーキ部３、エンコーダ部４、及びアンプ部１０を有するモータ１が完成する。
【００６３】
なお、上記で説明したモータ１の製造方法による各工程は、１つ以上の製造装置により自動的に実行される。但し、当該各工程の一部は、人手により実行されてもよい。
【００６４】
また、上記で説明したモータ１の製造工程は一例であり、上記以外の工程を含んでもよいし、上記の一部の工程が省略されてもよい。また、上記の工程の順序が適宜変更されてもよい。例えば、放熱フレームユニット３０の組み付けとヒートシンクユニット２０の組み付けの順番を反対としてもよい。
【００６５】
以上において、本体フレーム６の左面６ｃ、右面６ｄ、上面６ｅ、下面６ｆが、フレームにおける回転子の回転軸方向に垂直な方向に位置する面の一例に相当し、放熱フレーム７とヒートシンク８が、フレームに収容される少なくとも１つの基板の熱を放熱する手段の一例に相当する。
【００６６】
＜４．実施形態の効果＞
以上説明したように、本実施形態のモータ１では、アンプ部１０が、アンプ部１０の筐体を構成する本体フレーム６と、本体フレーム６における回転軸方向に垂直な方向に位置する下面６ｆに配置され、本体フレーム６に収容される基板５ｃ，５ｄ，５ｅ，５ｆが取り付けられた放熱フレーム７とを有する。これにより、次の効果を奏する。
【００６７】
すなわち、本実施形態では、基板５ｃ〜５ｆが取り付けられる放熱フレーム７が、アンプ部１０の筐体を構成する本体フレーム６とは別体のフレームとして構成される。これにより、放熱フレーム７の構造を放熱性の面で最適化することが可能となるので、基板５ｃ〜５ｅの熱を放熱フレーム７に効率良く伝熱させて放熱することができる。したがって、アンプ部１０の放熱性を高めることができる。
【００６８】
また、放熱フレーム７は、本体フレーム６における回転軸方向に垂直な方向に位置する面（下面６ｆ）に配置される。これにより、例えば回転軸方向に位置する面（後面６ｂ）から放熱する場合には放熱面が一方向（後方）に限定されるのに対し、本実施形態では上下左右等の複数方向から放熱面の方向を選択できる。したがって、設計の自由度を向上できる。
【００６９】
また、本実施形態では特に、アンプ部１０は、本体フレーム６における下面６ｆとは異なる右面６ｄに配置され、本体フレーム６に収容され基板５ｃ〜５ｆとは異なる基板５ａ，５ｂが取り付けられたヒートシンク８を有する。これにより、次の効果を奏する。
【００７０】
すなわち、本実施形態では、本体フレーム６の下面６ｆに配置された放熱フレーム７と右面６ｄに配置されたヒートシンク８により、各基板や発熱部品であるパワー素子１７の熱を方向が異なる複数の放熱面から放熱することができる。すなわち、基板５ｂ〜５ｅの熱を放熱フレーム７を介して下方に放熱でき、パワー素子１７の熱をヒートシンク８を介して右方に放熱できる。したがって、アンプ部１０の放熱性をより高めることができる。
【００７１】
また、本実施形態では特に、アンプ部１０は、本体フレーム６における下面６ｆ及び右面６ｄとは異なる上面６ｅに配置されたコネクタＣ６１，Ｃ６２，Ｃ６３，Ｃ６４を有する。
【００７２】
これにより、アンプ部１０の本体フレーム６の放熱面以外の面において、放熱性を阻害することなく、コネクタＣ６１〜Ｃ６４を介して各種のケーブル（電源ケーブル、通信ケーブル、Ｉ／Ｏケーブル等）を接続できる。
【００７３】
また、本実施形態では特に、放熱フレーム７は、本体フレーム６の下面６ｆに取り付けられるベース部１１と、ベース部１１に立設され、基板５ｃ〜５ｆが取り付けられる基板取付部１２とを有する
【００７４】
これにより、放熱フレーム７への基板の取り付け作業が容易となる。また、基板５ｃ〜５ｅの熱を基板取付部１２及びベース部１１に伝熱させて効率的に放熱することができる。したがって、アンプ部１０の放熱性を高めることができる。
【００７５】
また、本実施形態では特に、基板取付部１２は、複数の基板取付面１３ａ１，１３ｂ１，１３ｂ２を有する。これにより、放熱フレーム７に複数の基板５ｃ〜５ｅを取り付けることができるので、複数の基板５ｃ〜５ｅの熱を効率的に放熱することができる。また、複数の基板５ｃ〜５ｅを放熱フレーム７に固定することで、各基板５ｃ〜５ｅの固定構造を堅固にできると共に、基板５ｃ〜５ｅ同士の接続の信頼性を向上できる。また、複数の基板のユニット化によりモータの組立性を向上できる。
【００７６】
また、本実施形態では特に、基板取付部１２の複数の基板取付面１３ａ１，１３ｂ１，１３ｂ２は互いに平行である。これにより、板状の取付板部１３ａ，１３ｂの各々に対し、表裏の両面に基板を取り付けることができるので、より多数の基板を放熱フレーム７に効率的に取り付けることができる。また、基板取付部１２に取り付けられた基板５ｃ〜５ｅは面方向が回転軸方向に沿って互いに平行に配置されるので、モータ１を径方向に小型化する場合の放熱面積への影響を少なくすることができ、さらなる小型化が可能となる。
【００７７】
また、本実施形態では特に、アンプ部１０は、本体フレーム６に収容され、コネクタＣ６１，Ｃ６２等が電気的に接続されるコネクタ受け基板５ｈを有し、コネクタ受け基板５ｈは、少なくとも一部が放熱フレーム７のベース部１１と対向するように配置されている。これにより、次の効果を奏する。
【００７８】
すなわち、コネクタ受け基板５ｈを設けることにより、コネクタＣ６１，Ｃ６２等に接続された各種ケーブルとアンプ部１０の制御基板５ｅ等との接続を、リード線でなくコネクタ接続とすることができるので、アンプ部１０内を省配線化できると共に、組立性を向上できる。また、上記配置構成により、モータ組立時にコネクタ受け基板５ｈに対して対向する方向に放熱フレーム７が挿入されることになる。これにより、コネクタ受け基板５ｈと放熱フレーム７に取り付けられた制御系配線基板５ｆ等との接続を、リード線でなくコネクタ接続とすることができるので、これによっても省配線化及び組立性を向上できる。
【００７９】
また、本実施形態では特に、アンプ部１０は、インバータ回路５０ａを構成する複数のパワー素子１７が配置されたパワー基板５ａと、複数のパワー素子１７を駆動するゲート回路５０ｂが配置されたゲート基板５ｂとを有し、パワー基板５ａ及びゲート基板５ｂは、ヒートシンク８と放熱フレーム７の基板取付部１２との間に配置されている。
【００８０】
これにより、発熱量が比較的大きなパワー素子１７についてはヒートシンク８により、ゲート基板５ｂについては放熱フレーム７により、効率良く冷却できる。
【００８１】
また、本実施形態では特に、アンプ部１０は、ゲート基板５ｂと基板取付部１２との間に配置された絶縁性の熱伝導性シート１６ｂを有し、ゲート基板５ｂは、熱伝導性シート１６ｂを介して基板取付部１２の取付板部１３ａに接触するように配置されている。
【００８２】
これにより、ゲート基板５ｂと基板取付部１２との絶縁を確保しつつ、ゲート基板５ｂの熱を効率良く放熱できる。
【００８３】
また、本実施形態のモータ１の製造方法は、本体フレーム６に収容される電源基板５ｃ、ＤＣ入力基板５ｄ、制御基板５ｅ、制御系配線基板５ｆを放熱フレーム７に取り付けることと、基板５ｃ〜５ｆが取り付けられた放熱フレーム７を本体フレーム６における回転軸方向に垂直な方向に位置する下面６ｆに取り付けることとを有する。これにより、次の効果を奏する。
【００８４】
すなわち、放熱フレーム７に取り付けた電源基板５ｃ、ＤＣ入力基板５ｄ、制御基板５ｅ、制御系配線基板５ｆを一度に本体フレーム６に組み付けることができるので、組立作業を容易化できる。また、基板５ｃ〜５ｆを放熱フレーム７に取り付ける際に、必要な基板間のコネクタ接続等を予め行ったり、必要な基板間距離（絶縁距離）を予め確保して取り付けること等ができるので、その後の組立作業を容易化できる。したがって、モータ１の組立性を向上できる。
【００８５】
また、本実施形態のモータ１の製造方法は、本体フレーム６に収容されるパワー基板５ａ、ゲート基板５ｂをヒートシンク８に取り付けることと、基板５ａ，５ｂが取り付けられたヒートシンク８を本体フレーム６における右面６ｄに取り付けることとを有する。これにより、次の効果を奏する。
【００８６】
すなわち、ヒートシンク８に取り付けたパワー基板５ａ及びゲート基板５ｂを一度に本体フレーム６に組み付けることができるので、組立作業を容易化できる。また、基板５ａ，５ｂをヒートシンク８に取り付ける際に、必要な基板間のコネクタ接続等を予め行ったり、必要な基板間距離（絶縁距離）を予め確保して取り付けること等ができるので、その後の組立作業を容易化できる。したがって、モータ１の組立性を向上できる。
【００８７】
＜５．変形例＞
なお、開示の実施形態は、上記に限られるものではなく、その趣旨及び技術的思想を逸脱しない範囲内で種々の変形が可能である。以下、そのような変形例を説明する。
【００８８】
（５−１．放熱フレームの構成のバリエーション）
図６〜図１５を参照しつつ、放熱フレーム７の構成のバリエーションについて説明する。なお、図６〜図１５では、放熱フレーム７等、ヒートシンク８、及び基板５ａ〜５ｅ以外の構成については図示を省略している。
【００８９】
図６は、上記実施形態に係る放熱フレーム７の構成を表す模式図である。図７以降に示す変形例との比較のために、まず放熱フレーム７の構成を説明する。
【００９０】
図６に示すように、放熱フレーム７は、ベース部１１と、ベース部１１に立設された基板取付部１２とを有する。基板取付部１２は、左右方向に並設された２つの取付板部１３ａ，１３ｂと、取付板部１３ａ，１３ｂの上端間を繋ぐ天板部１４とを有する。天板部１４の前側には開口部１４ａが形成されている。
【００９１】
パワー基板５ａはヒートシンク８近傍に配置され、ゲート基板５ｂは取付板部１３ａの右側近傍に配置され、電源基板５ｃは取付板部１３ａの左側近傍に配置され、ＤＣ入力基板５ｄは取付板部１３ｂの右側近傍に配置され、制御基板５ｅは取付板部１３ｂの左側近傍に配置される。
【００９２】
これにより、パワー基板５ａの熱（パワー素子１７の熱。以下同様）はヒートシンク８から放熱される。ゲート基板５ｂ及び電源基板５ｃの熱は取付板部１３ａに伝わり、ベース部１１から放熱される。ＤＣ入力基板５ｄ及び制御基板５ｅの熱は取付板部１３ｂに伝わり、ベース部１１から放熱される。
【００９３】
（５−１−１．放熱フレームの第１の変形例）
図７は、放熱フレームの第１の変形例を表す模式図である。図７に示すように、第１の変形例の放熱フレーム７ａでは、基板取付部１２が、取付板部１３ａ，１３ｂと天板部１４に加えて、取付板部１３ａとヒートシンク８の間にベース部１１に立設された板状の取付板部１５ａをさらに有する。パワー基板５ａは取付板部１５ａとヒートシンク８の間に配置され、ゲート基板５ｂは取付板部１５ａと取付板部１３ａの間に配置される。放熱フレーム７ａのその他の構成は、図６の放熱フレーム７と同様である。
【００９４】
これにより、パワー基板５ａの熱はヒートシンク８から放熱されるとともに、取付板部１５ａに伝わり、ベース部１１から放熱される。ゲート基板５ｂの熱は取付板部１３ａ，１５ａに伝わり、ベース部１１から放熱される。電源基板５ｃ、ＤＣ入力基板５ｄ、制御基板５ｅの放熱は、図６の放熱フレーム７と同様である。なお、上記放熱経路は一例であり、上記以外の放熱経路となるように各基板を配置してもよい。
【００９５】
第１の変形例（後述の第２、第３、第５、第７の変形例等も同様）は、例えば機能追加等により基板５ａ〜５ｅ以外の基板が追加される場合や、例えばパワー基板５ａにＲＣスナバ回路等の発熱部品が追加されて発熱量が増大する場合等に有効である。このように、基板の数や発熱量等に応じて取付板部の数を変化させてもよい。
【００９６】
（５−１−２．放熱フレームの第２の変形例）
図８は、放熱フレームの第２の変形例を表す模式図である。図８に示すように、第２の変形例の放熱フレーム７ｂでは、基板取付部１２が、取付板部１３ａ，１３ｂと天板部１４に加えて、取付板部１３ａとヒートシンク８の間にベース部１１に立設された２つの取付板部１５ｂ，１５ｃをさらに有する。パワー基板５ａは取付板部１５ｃとヒートシンク８の間に配置され、ゲート基板５ｂは取付板部１５ｂと取付板部１３ａの間に配置される。放熱フレーム７ｂのその他の構成は、図６の放熱フレーム７と同様である。
【００９７】
これにより、パワー基板５ａの熱はヒートシンク８から放熱されるとともに、取付板部１５ｃに伝わり、ベース部１１から放熱される。ゲート基板５ｂの熱は取付板部１３ａ，１５ｂに伝わり、ベース部１１から放熱される。電源基板５ｃ、ＤＣ入力基板５ｄ、制御基板５ｅの放熱は、図６の放熱フレーム７と同様である。なお、上記放熱経路は一例であり、上記以外の放熱経路となるように各基板を配置してもよい。
【００９８】
（５−１−３．放熱フレームの第３の変形例）
図９は、放熱フレームの第３の変形例を表す模式図である。図９に示すように、第３の変形例の放熱フレーム７ｃでは、図８の放熱フレーム７ｂの取付板部１５ｂに代えて、上下方向の長さを短くした取付板部１５ｂ’が設けられている。放熱フレーム７ｃのその他の構成は、図８の放熱フレーム７ｂと同様である。
【００９９】
第３の変形例における各基板の放熱経路は、上記第２の変形例と同様である。第３の変形例は、例えばゲート基板５ｂの右側の表面の下部に発熱部品が実装されている場合等に有効であり、放熱フレーム７ｃを必要最小限の構成とすることができる。このように、基板における発熱部品の位置や発熱量等に応じて各取付板部の長さを変化させてもよい。
【０１００】
（５−１−４．放熱フレームの第４の変形例）
図１０は、放熱フレームの第４の変形例を表す模式図である。図１０に示すように、第４の変形例の放熱フレーム７ｄでは、図６の放熱フレーム７の天板部１４が除去されている。放熱フレーム７ｄのその他の構成は、図６の放熱フレーム７と同様である。
【０１０１】
第４の変形例における各基板の放熱経路は、図６の放熱フレーム７と同様である。
【０１０２】
（５−１−５．放熱フレームの第５の変形例）
図１１は、放熱フレームの第５の変形例を表す模式図である。図１１に示すように、第５の変形例の放熱フレーム７ｅでは、図６の放熱フレーム７ａの天板部１４が除去されるとともに、基板取付部１２が、取付板部１３ａとヒートシンク８の間に取付板部１５ａをさらに有する。放熱フレーム７ｅのその他の構成は、図６の放熱フレーム７と同様である。
【０１０３】
第５の変形例における各基板の放熱経路は、図７の放熱フレーム７ａと同様である。
【０１０４】
（５−１−６．放熱フレームの第６の変形例）
図１２は、放熱フレームの第６の変形例を表す模式図である。図１２に示すように、第６の変形例の放熱フレーム７ｆでは、図６の放熱フレーム７の取付板部１３ａ及び天板部１４が除去されている。放熱フレーム７ｆのその他の構成は図６の放熱フレーム７と同様である。
【０１０５】
第６の変形例では、ゲート基板５ｂ及び電源基板５ｃについては放熱フレーム７ｆで放熱しない。パワー基板５ａ、ＤＣ入力基板５ｄ、及び制御基板５ｅの放熱は、図６の放熱フレーム７と同様である。したがって、ゲート基板５ｂ及び電源基板５ｃの発熱量が少ない場合に有効であり、放熱フレーム７ｆを小型化、軽量化できる。なお、放熱フレーム７ｆの取付板部１３ｂの位置はＤＣ入力基板５ｄと制御基板５ｅの間に限らず、適宜選択できるものである。
【０１０６】
（５−１−７．放熱フレームの第７の変形例）
図１３は、放熱フレームの第７の変形例を表す模式図である。図１３に示すように、第７の変形例の放熱フレーム７ｇでは、図１１の放熱フレーム７ｅの取付板部１３ａ，１３ｂに代えて、上下方向の長さを短くした取付板部１３ａ’，１３ｂ’が設けられている。この例では、取付板部１３ｂ’は取付板部１３ａ’よりも上下方向の長さが短くなっている。放熱フレーム７ｇのその他の構成は図１１の放熱フレーム７ｅと同様である。
【０１０７】
第７の変形例における各基板の放熱経路は、図１１に示す第５の変形例と同様である。第７の変形例は、例えばゲート基板５ｂの左側の表面、電源基板５ｃの右側の表面、ＤＣ入力基板５ｄの左側の表面、制御基板５ｅの右側の表面のそれぞれの下部に発熱部品が実装されている場合等に有効であり、放熱フレーム７ｇを必要最小限の構成とすることができる。このように、基板における発熱部品の位置や発熱量等に応じて各取付板部の長さを変化させてもよい。
【０１０８】
（５−１−８．放熱フレームの第８の変形例）
図１４は、放熱フレームの第８の変形例を表す模式図である。図１４に示すように、第８の変形例の放熱フレーム７ｈでは、図６の放熱フレーム７の天板部１４に代えて、左右に分断された２つの天板部１４ｂ，１４ｃが設けられている。放熱フレーム７ｈのその他の構成は図６の放熱フレーム７と同様である。
【０１０９】
第８の変形例における各基板の放熱経路は、図６の放熱フレーム７と同様である。なお、本変形例では、天板部１４ｂ，１４ｃを例えば制御系配線基板５ｆ等の基板取付面として活用することもできる。
【０１１０】
（５−１−９．放熱フレームの第９の変形例）
図１５は、放熱フレームの第９の変形例を表す模式図である。図１５に示すように、第９の変形例の放熱フレーム７ｉでは、図６の放熱フレーム７の取付板部１３ａがベース部１１に立設されずに天板部１４の右端部にネジ１３ｓで取り付けられている。すなわち、放熱フレーム７ｉは、一体に構成されたベース部１１、ベース部１１に立設された取付板部１３ｂ及び天板部１４の部品と、取付板部１３ａとの２つの部品で構成されている。
【０１１１】
なお、上記以外の構成により、放熱フレームを複数の部品で構成してもよい。例えば、ベース部１１、取付板部１３ｂ、天板部１４、取付板部１３ａをそれぞれ別部品としてもよい。
【０１１２】
第９の変形例における各基板の放熱経路は、図６の放熱フレーム７と同様である。
【０１１３】
（５−２．ヒートシンクユニットの構成のバリエーション）
図１６〜図１８を参照しつつ、ヒートシンクユニット２０の構成のバリエーションについて説明する。なお、図１６〜図１８では、ヒートシンク８、熱伝導性シート１６ａ、パワー素子１７、樹脂サポート１８、パワー基板５ａ以外の構成については図示を省略している。
【０１１４】
図１６は、上記実施形態に係るヒートシンクユニット２０の構成を表す模式図である。図１７及び図１８に示す変形例との比較のために、まずヒートシンクユニット２０の構成を説明する。
【０１１５】
ヒートシンクユニット２０は、パワー基板５ａ、樹脂サポート１８、複数のパワー素子１７、絶縁性の熱伝導性シート１６ａ、及び、ヒートシンク８を有する。パワー基板５ａが複数のボルトによりヒートシンク８に固定されることにより、樹脂サポート１８に収容されたパワー素子１７が熱伝導性シート１６ａを介してヒートシンク８に押圧される。
【０１１６】
（５−２−１．ヒートシンクに接続されるフレームを追加）
図１７は、本変形例のヒートシンクユニット２０Ａの構成の一例を表す模式図である。
【０１１７】
図１７に示すように、本変形例のヒートシンクユニット２０Ａでは、ヒートシンク８に接続されるフレーム２２が追加されている。フレーム２２は、前後方向から見た形状が略Ｌ字状に形成されており、フレーム部２２ａと、フレーム部２２ａの下端に一体に設けられたフレーム部２２ｂとを有する。フレーム部２２ｂは、図示しないネジによりヒートシンク８に固定される。
【０１１８】
フレーム部２２ａは、金属（例えばアルミ）等の熱伝導性の高い材料で構成されており、パワー基板５ａの左側の表面に接触する。これにより、パワー素子１７の熱が熱伝導性シート１６ａを介してヒートシンク８から放熱されると共に、パワー基板５ａの熱をフレーム２２を介してヒートシンク８から放熱できるので、ヒートシンクユニット２０Ａの放熱性を向上することができる。
【０１１９】
本変形例は、例えばパワー基板５ａにＲＣスナバ回路等の発熱部品が追加されて発熱量が増大する場合等に有効である。このように、発熱量等に応じてヒートシンクユニットに適宜フレームを追加してもよい。
【０１２０】
（５−２−２．樹脂サポートの位置を変更）
図１６に示す上記実施形態に係るヒートシンクユニット２０では、パワー素子１７がリード端子１７ｂによりパワー基板５ａに接続される構成であるため、樹脂サポート１８によりパワー素子１７をヒートシンク８に押圧する構成となっている。本変形例は、パワー素子１７がパワー基板５ａに直接実装される表面実装型のパワー素子である場合に対応したものである。
【０１２１】
図１８は、本変形例のヒートシンクユニット２０Ｂの構成の一例を表す模式図である。図１８に示すように、ヒートシンクユニット２０Ｂでは、パワー基板５ａのヒートシンク８側の表面に表面実装型のパワー素子１７が配置されている。樹脂サポート１８は、パワー基板５ａのヒートシンク８とは反対側に配置され、図示しないネジによりパワー基板５ａ及び熱伝導性シート１６ａを間に挟むようにヒートシンク８に固定されている。
【０１２２】
これにより、樹脂サポート１８によってパワー基板５ａの全体を均一にヒートシンク８に押圧することができる。その結果、パワー基板５ａに局所的なストレスが生じるのを防止できるので、パワー基板５ａの変形（曲がり等）や実装部品へのストレスを防止できる。
【０１２３】
（５−３．放熱フレーム、ヒートシンクの位置関係のバリエーション）
上記実施形態のアンプ部１０では、本体フレーム６において放熱フレーム７は下方に、ヒートシンク８は右方に、コネクタＣ６１〜Ｃ６４は上方に配置されたが、これらの本体フレーム６における位置関係は変更することが可能である。図１９〜図２２を参照しつつ、位置関係のバリエーションについて説明する。なお、図１９〜図２２では、本体フレーム６、放熱フレーム７、ヒートシンクユニット２０、コネクタＣ６１，Ｃ６２、及びコネクタ受け基板５ｈ等以外の構成については図示を省略している。
【０１２４】
図１９は、上記実施形態に係るアンプ部１０における各構成の位置関係を表す模式図である。図２０以降に示す変形例との比較のために、まずアンプ部１０の配置構成を説明する。
【０１２５】
本体フレーム６には、上面６ｅの内面側にコネクタ受け基板５ｈが配置されている。コネクタ受け基板５ｈは、本体フレーム６の上面６ｅに設けられたコネクタＣ６１，Ｃ６２等に接続されている。
【０１２６】
放熱フレーム７には、基板５ｃ〜５ｆが取り付けられ、放熱フレームユニット３０として本体フレーム６の下面６ｆに組み付けられている。なお、基板５ｃ〜５ｆの図示は省略している（後述の図２０〜図２２も同様）。ヒートシンク８には、基板５ａ，５ｂが取り付けられ、ヒートシンクユニット２０として本体フレーム６の右面６ｄに組み付けられている。
【０１２７】
上記構成により、アンプ部１０では、本体フレーム６において、コネクタＣ６１，Ｃ６２等が上面６ｅに配置され、放熱フレーム７が下面６ｆに配置され、ヒートシンク８が右面６ｄに配置されている。
【０１２８】
（５−３−１．位置関係の第１の変形例）
図２０は、位置関係の第１の変形例を表す模式図である。図２０に示すように、第１の変形例のアンプ部１０Ａでは、本体フレーム６に前後方向から見た形状が略Ｌ字状であるコネクタ受け基板５ｈ１が収容されている。コネクタ受け基板５ｈ１は、本体フレーム６の上面６ｅの内面側に沿った基板部５ｈａと、放熱フレーム７のベース部１１と対向するように配置され、本体フレーム６の右面６ｄの内面側に沿った基板部５ｈｂとを有する。基板部５ｈａは、上面６ｅのコネクタＣ６１，Ｃ６２等と接続されている。本体フレーム６は、少なくとも左面６ｃと下面６ｆが開口している。
【０１２９】
この本体フレーム６に対し、放熱フレームユニット３０が左面６ｃに組み付けられ、放熱フレーム７が左面６ｃに配置される。また、本体フレーム６に対し、ヒートシンクユニット２０が下面６ｆに組み付けられ、ヒートシンク８が下面６ｆに配置される。
【０１３０】
このように、コネクタ受け基板５ｈ１の形状を適宜の形状（この例では略Ｌ字状）とすることにより、コネクタ受け基板５ｈ１（基板部５ｈｂ）と放熱フレーム７との対向した配置関係を維持しつつ、放熱フレーム７、ヒートシンク８、コネクタＣ６１，Ｃ６２等の位置関係を変更することができる。
【０１３１】
（５−３−２．位置関係の第２の変形例）
図２１は、位置関係の第２の変形例を表す模式図である。図２１に示すように、第２の変形例のアンプ部１０Ｂでは、本体フレーム６に前後方向から見た形状が略Ｌ字状であるコネクタ受け基板５ｈ２が収容されている。コネクタ受け基板５ｈ２は、本体フレーム６の上面６ｅの内面側に沿った基板部５ｈａと、放熱フレーム７のベース部１１と対向するように配置され、本体フレーム６の左面６ｃの内面側に沿った基板部５ｈｃとを有する。基板部５ｈａは、上面６ｅのコネクタＣ６１，Ｃ６２等と接続されている。本体フレーム６は、少なくとも右面６ｄと下面６ｆが開口している。また、放熱フレーム７（放熱フレームユニット３０）が図２０に示す放熱フレーム７（放熱フレームユニット３０）を左右方向に反転した構成となっている。
【０１３２】
この本体フレーム６に対し、放熱フレームユニット３０が右面６ｄに組み付けられ、放熱フレーム７が右面６ｄに配置される。また、本体フレーム６に対し、ヒートシンクユニット２０が下面６ｆに組み付けられ、ヒートシンク８が下面６ｆに配置される。
【０１３３】
本変形例によっても、コネクタ受け基板５ｈ２（基板部５ｈｃ）と放熱フレーム７との対向した配置関係を維持しつつ、放熱フレーム７、ヒートシンク８、コネクタＣ６１，Ｃ６２等の位置関係を変更することができる。なお、本変形例では放熱フレームユニット３０とヒートシンクユニット２０の配置関係が図１９や図２０に示す配置関係とは反対となるので、各基板上の実装部品やコネクタの配置が適宜変更される（後述の図２２も同様）。
【０１３４】
（５−３−３．位置関係の第３の変形例）
図２２は、位置関係の第３の変形例を表す模式図である。図２２に示すように、第３の変形例のアンプ部１０Ｃでは、放熱フレーム７（放熱フレームユニット３０）が図１９に示す放熱フレーム７（放熱フレームユニット３０）を左右方向に反転した構成となっている。コネクタ受け基板５ｈは図１９と同様に配置されている。本体フレーム６は、少なくとも左面６ｃと下面６ｆが開口している。
【０１３５】
この本体フレーム６に対し、放熱フレームユニット３０が下面６ｆに組み付けられ、放熱フレーム７が下面６ｆに配置される。また、本体フレーム６に対し、ヒートシンクユニット２０が左面６ｃに組み付けられ、ヒートシンク８が左面６ｃに配置される。
【０１３６】
本変形例によっても、コネクタ受け基板５ｈと放熱フレーム７との対向した配置関係を維持しつつ、放熱フレーム７、ヒートシンク８、コネクタＣ６１，Ｃ６２等の位置関係を変更することができる。
【０１３７】
以上説明した位置関係の変形例（第１〜第３の変形例）によれば、次の効果を奏する。すなわち、例えばモータ１の設置環境は、ヒートシンク８や放熱フレーム７が配置される方向には充分な放熱スペースが確保されるのが好ましい。またコネクタＣ６１〜Ｃ６４の配置方向は、モータ１の設置環境やユーザのケーブルの引き回し等のニーズに応じた配置とすることが好ましい。
【０１３８】
上記変形例によれば、アンプ部１０Ａ（１０Ｂ，１０Ｃ）が、放熱フレーム７、ヒートシンク８、コネクタＣ６１〜Ｃ６４の本体フレーム６における位置関係を変更可能に構成されることにより、設置環境やニーズに応じてそれらの位置関係を選択することができる。これにより、設置環境やニーズに柔軟に対応することが可能なモータを実現できる。
【０１３９】
なお、以上の説明において、「垂直」「平行」「平面」等の記載がある場合には、当該記載は厳密な意味ではない。すなわち、それら「垂直」「平行」「平面」とは、設計上、製造上の公差、誤差が許容され、「実質的に垂直」「実質的に平行」「実質的に平面」という意味である。
【０１４０】
また、以上の説明において、外観上の寸法や大きさが「同一」「等しい」「異なる」等の記載がある場合は、当該記載は厳密な意味ではない。すなわち、それら「同一」「等しい」「異なる」とは、設計上、製造上の公差、誤差が許容され、「実質的に同一」「実質的に等しい」「実質的に異なる」という意味である。
【０１４１】
また、以上既に述べた以外にも、上記実施形態や各変形例による手法を適宜組み合わせて利用しても良い。
【０１４２】
その他、一々例示はしないが、上記実施形態や各変形例は、その趣旨を逸脱しない範囲内において、種々の変更が加えられて実施されるものである。
【符号の説明】
【０１４３】
１                モータ
２                モータ部
５ａ              基板、パワー基板
５ｂ              基板、ゲート基板
５ｃ              基板、電源基板
５ｄ              基板、ＤＣ入力基板
５ｅ              基板、制御基板
５ｆ              基板、制御系配線基板
５ｇ              基板、パワー系配線基板
５ｈ              基板、コネクタ受け基板
６                本体フレーム（第１フレームの一例）
６ｄ              右面（第２の面の一例）
６ｅ              上面（第３の面の一例）
６ｆ              下面（第１の面の一例）
７                放熱フレーム（第２フレームの一例）
８                ヒートシンク
１０              アンプ部
１１              ベース部
１２              基板取付部
１３ａ１          基板取付面
１３ｂ１          基板取付面
１３ｂ２          基板取付面
１４ａ            基板取付面
１６ｂ            熱伝導性シート
１７              パワー素子（スイッチング素子の一例）
５０ａ            インバータ回路（電力変換回路の一例）
５０ｂ            ゲート回路（駆動回路の一例）
Ｃ６１〜Ｃ６４    コネクタ
【図１】
2017085872.tif 000003
【図２】
2017085872.tif 000004
【図３】
2017085872.tif 000005
【図４】
2017085872.tif 000006
【図５】
2017085872.tif 000007
【図６】
2017085872.tif 000008
【図７】
2017085872.tif 000009
【図８】
2017085872.tif 000010
【図９】
2017085872.tif 000011
【図１０】
2017085872.tif 000012
【図１１】
2017085872.tif 000013
【図１２】
2017085872.tif 000014
【図１３】
2017085872.tif 000015
【図１４】
2017085872.tif 000016
【図１５】
2017085872.tif 000017
【図１６】
2017085872.tif 000018
【図１７】
2017085872.tif 000019
【図１８】
2017085872.tif 000020
【図１９】
2017085872.tif 000021
【図２０】
2017085872.tif 000022
【図２１】
2017085872.tif 000023
【図２２】
2017085872.tif 000024
【手続補正書】
【提出日】平成29年9月12日(2017.9.12)
【手続補正１】
【補正対象書類名】特許請求の範囲
【補正対象項目名】全文
【補正方法】変更
【補正の内容】
【特許請求の範囲】
【請求項１】
固定子及び回転子を備えたモータ部と、
前記モータ部に電力を供給するアンプ部と、を有し、
前記アンプ部は、
前記アンプ部の筐体を構成する第１フレームと、
前記第１フレームの開口部に挿入され、前記第１フレームに収容される少なくとも１つの基板が取り付けられた第２フレームと、を有し、
前記第２フレームは、
前記第１フレームの前記開口部に取り付けられるベース部と、
前記ベース部に立設され、前記少なくとも１つの基板が取り付けられる少なくとも１つの基板取付部と、を有する
ことを特徴とするモータ。
【請求項２】
前記アンプ部は、
前記第１フレームにおける前記ベース部が取り付けられる第１の面とは異なる第２の面に配置され、前記第１フレームに収容され前記少なくとも１つの基板とは異なる他の少なくとも１つの基板が取り付けられたヒートシンクを有する
ことを特徴とする請求項１に記載のモータ。
【請求項３】
前記アンプ部は、
前記第１フレームにおける前記第１の面及び前記第２の面とは異なる第３の面に配置された少なくとも１つのコネクタを有する
ことを特徴とする請求項２に記載のモータ。
【請求項４】
前記アンプ部は、
前記第２フレーム、前記ヒートシンク、前記少なくとも１つのコネクタ、の前記第１フレームにおける位置関係を変更可能に構成されている
ことを特徴とする請求項３に記載のモータ。
【請求項５】
前記基板取付部は、
複数の基板取付面を有する
ことを特徴とする請求項１乃至４のいずれか１項に記載のモータ。
【請求項６】
前記複数の基板取付面のうち、少なくとも２つの前記基板取付面は互いに垂直である
ことを特徴とする請求項５に記載のモータ。
【請求項７】
前記複数の基板取付面のうち、少なくとも２つの前記基板取付面は互いに平行である
ことを特徴とする請求項５又は６に記載のモータ。
【請求項８】
前記アンプ部は、
前記第１フレームに収容され、前記少なくとも１つのコネクタが電気的に接続されるコネクタ受け基板を有し、
前記コネクタ受け基板は、
少なくとも一部が前記第２フレームの前記ベース部と対向するように配置されている
ことを特徴とする請求項３又は４に記載のモータ。
【請求項９】
前記アンプ部は、
電力変換回路を構成する複数のスイッチング素子が配置されたパワー基板と、
前記複数のスイッチング素子を駆動する駆動回路が配置されたゲート基板と、を有し、
前記パワー基板及び前記ゲート基板は、
前記ヒートシンクと前記第２フレームの前記基板取付部との間に配置されている
ことを特徴とする請求項２乃至４のいずれか１項に記載のモータ。
【請求項１０】
前記アンプ部は、
前記ゲート基板と前記基板取付部との間に配置された絶縁性の熱伝導性シートを有し、
前記ゲート基板は、
前記熱伝導性シートを介して前記基板取付部に接触するように配置されている
ことを特徴とする請求項９に記載のモータ。
【請求項１１】
固定子及び回転子を備えたモータ部と、前記モータ部に電力を供給するアンプ部と、を有するモータの製造方法であって、
前記アンプ部の筐体を構成する第１フレームに収容される少なくとも１つの基板を、ベース部と当該ベース部に立設された少なくとも１つの基板取付部とを有する第２フレームの前記基板取付部に取り付けることと、
前記少なくとも１つの基板が取り付けられた前記第２フレームの前記基板取付部を前記第１フレームの開口部に挿入して前記ベース部を前記開口部に取り付けることと、
を有することを特徴とするモータの製造方法。
【請求項１２】
前記第１フレームに収容され前記少なくとも１つの基板とは異なる他の少なくとも１つの基板を、ヒートシンクに取り付けることと、
前記他の少なくとも１つの基板が取り付けられた前記ヒートシンクを、前記第１フレームにおける前記ベース部が取り付けられる第１の面とは異なる第２の面に取り付けることと、
をさらに有することを特徴とする請求項１１に記載のモータの製造方法。
【手続補正２】
【補正対象書類名】明細書
【補正対象項目名】０００６
【補正方法】変更
【補正の内容】
【０００６】
上記課題を解決するため、本発明の一の観点によれば、固定子及び回転子を備えたモータ部と、前記モータ部に電力を供給するアンプ部と、を有し、前記アンプ部は、前記アンプ部の筐体を構成する第１フレームと、前記第１フレームの開口部に挿入され、前記第１フレームに収容される少なくとも１つの基板が取り付けられた第２フレームと、を有し、前記第２フレームは、前記第１フレームの前記開口部に取り付けられるベース部と、前記ベース部に立設され、前記少なくとも１つの基板が取り付けられる少なくとも１つの基板取付部と、を有するモータが適用される。
【手続補正３】
【補正対象書類名】明細書
【補正対象項目名】０００７
【補正方法】変更
【補正の内容】
【０００７】
また、本発明の別の観点によれば、固定子及び回転子を備えたモータ部と、前記モータ部に電力を供給するアンプ部と、を有するモータの製造方法であって、前記アンプ部の筐体を構成する第１フレームに収容される少なくとも１つの基板を、ベース部と当該ベース部に立設された少なくとも１つの基板取付部とを有する第２フレームの前記基板取付部に取り付けることと、前記少なくとも１つの基板が取り付けられた前記第２フレームの前記基板取付部を前記第１フレームの開口部に挿入して前記ベース部を前記開口部に取り付けることと、を有することを特徴とするモータの製造方法が適用される。
【国際調査報告】
2017085872.tif 000025
2017085872.tif 000026